(57)【要約】【課題】受信電波の復調においてパケット欠落を生じてもサーバーによらずに当該パケットと同一のパケットを取得することができる地上ディジタル放送受信装置を提供する。【解決手段】地上ディジタルチューナ２は、映像音声データを含む高周波ディジタル変調信号のうちから特定周波数の信号を取り出し、トランスポートストリーム（ＴＳ）を出力する。前記トランスポートストリームに受信エラーを生じたパケットが存在する場合に、当該パケットを破棄すると共に同一のパケットをＬＡＮカード１９を介して他の受信装置に要求する。この要求に基づいて受け取ったパケットを受信ＴＳバッファ２６に格納し、デコーダ３に供給する。【選択図】図１
2008022096.tif 000002
【特許請求の範囲】
【請求項１】
地上ディジタル放送波を受信してトランスポートストリームを出力するチューナと、前記トランスポートストリームからパケットを分離するデマルチプレクサと、分離されたパケットをデコードするデコーダと、他の放送受信装置との間で通信を実行してデータ送受を行う通信手段と、前記トランスポートストリームのなかでパケットの欠落を生じた場合に、当該パケットと同一のパケットの送信を前記他の放送受信装置に要求し、当該他の放送受信装置から前記同一のパケットを取得できたときには、当該同一のパケットを前記デコーダに供給する手段と、を備えたことを特徴とする地上ディジタル放送受信装置。
【請求項２】
請求項１に記載の地上ディジタル放送受信装置において、前記他の放送受信装置と通信を行うための相手先情報を予め登録しておく記憶手段を備えていることを特徴とする地上ディジタル放送受信装置。
【請求項３】
請求項２に記載の地上ディジタル放送受信装置において、前記予め登録されている相手先に、放送受信の開始と同時、又は所定の条件が生じたときに、自動的に前記通信を実行することを特徴とする地上ディジタル放送受信装置。
【請求項４】
請求項３に記載の地上ディジタル放送受信装置において、前記所定の条件は、前記トランスポートストリームのエラー訂正の程度が所定の基準値を超えたときであることを特徴とする地上ディジタル放送受信装置。
【請求項５】
請求項４に記載の地上ディジタル放送受信装置において、前記トランスポートストリームのエラー訂正の程度が所定の基準値以下となったときに、前記他の放送受信装置との前記通信を停止することを特徴とする地上ディジタル放送受信装置。
【請求項６】
請求項５に記載の地上ディジタル放送受信装置において、前記停止中に前記トランスポートストリームのエラー訂正の程度が所定の基準値を超えたときに、前記他の放送受信装置との前記通信を自動的に再開することを特徴とする地上ディジタル放送受信装置。
【請求項７】
請求項１乃至請求項６のいずれかに記載の地上ディジタル放送受信装置において、前記欠落したパケットの重要度を判断し、重要度の低い欠落パケットについては前記他の放送受信装置への要求対象から外すことを特徴とする地上ディジタル放送受信装置。
【請求項８】
地上ディジタル放送波を受信してトランスポートストリームを出力するチューナと、前記トランスポートストリームからパケットを分離するデマルチプレクサと、分離されたパケットをデコードするデコーダと、他の放送受信装置との間で通信を実行してデータ送受を行う通信手段と、前記他の放送受信装置からパケット送信要求を受けたときに、この要求されたパケットと同一のパケットを前記トランスポートストリームから取得し、当該同一のパケットを前記通信手段を用いて前記他の放送受信装置に送信する手段と、を備えたことを特徴とする地上ディジタル放送受信装置。
【請求項９】
請求項８に記載の地上ディジタル放送受信装置において、前記通信手段は、前記他の放送受信装置との間で通信路を確立すると、パケット送信機能を有する旨を送信することを特徴とする地上ディジタル放送受信装置。
【請求項１０】
請求項８又は請求項９に記載の地上ディジタル放送受信装置において、送信要求を受けたパケットの重要度を判断し、重要度の低い欠落パケットについては前記他の放送受信装置への送信対象から外すことを特徴とする地上ディジタル放送受信装置。
【請求項１１】
請求項８乃至請求項１０のいずれかに記載の地上ディジタル放送受信装置において、前記チューナを複数備え、自身の放送受信に使用している以外のチューナを前記他の放送受信装置へのパケット送信のために用いることを特徴とする地上ディジタル放送受信装置。
【発明の詳細な説明】
【技術分野】
【０００１】
この発明は、地上ディジタル放送受信装置に関する。
【背景技術】
【０００２】
地上ディジタル放送を受信する受信装置は、ＯＦＤＭ復調部を有し、受信電波からトランスポートストリーム（ＴＳ）を復調するチューナを備え、前記トランスポートストリームからパケット（エレメンタリストリーム）を分離し、前記パケットをデコードすることで映像音声を出力する。そして、従来より、特に移動体用受信装置においては、受信コンディションの悪化などに対応するために、訂正不能なエラーを生じたパケットを通信によってサーバーから取得する技術が提案されている（特許文献１参照）。
【特許文献１】特開２００５−２９４９２３号公報
【発明の開示】
【発明が解決しようとする課題】
【０００３】
しかしながら、上記のごとくサーバーから欠落パケットを取得する技術では、多くの放送受信装置が一斉に前記サーバーにアクセスすることも予想され、前記サーバーに大きな負荷がかかれば、欠落パケットを送信できないといったことも生じうる。
【０００４】
この発明は、上記の事情に鑑み、受信電波の復調においてパケット欠落を生じてもサーバーによずに当該パケットと同一のパケットを取得することができる地上ディジタル放送受信装置を提供することを目的とする。
【課題を解決するための手段】
【０００５】
この発明の地上ディジタル放送受信装置は、上記の課題を解決するために、地上ディジタル放送波を受信してトランスポートストリームを出力するチューナと、前記トランスポートストリームからパケットを分離するデマルチプレクサと、分離されたパケットをデコードするデコーダと、他の放送受信装置との間で通信を実行してデータ送受を行う通信手段と、前記トランスポートストリームのなかでパケットの欠落を生じた場合に、当該パケットと同一のパケットの送信を前記他の放送受信装置に要求し、当該他の放送受信装置から前記同一のパケットを取得できたときには、当該同一のパケットを前記デコーダに供給する手段と、を備えたことを特徴とする（以下、この項において第１構成という）。
【０００６】
上記の構成であれば、パケットの欠落を生じた場合には、他の放送受信装置から前記同一のパケットを取得することができるので、パケット欠落を生じてもサーバーによらずに当該パケットと同一のパケットを取得することができる。
【０００７】
前記第１構成において、前記他の放送受信装置と通信を行うための相手先情報を予め登録しておく記憶手段を備えていてもよい。かかる構成において、前記予め登録されている相手先に、放送受信の開始と同時、又は所定の条件が生じたときに、自動的に前記通信を実行することとしてもよい。かかる構成において、前記所定の条件は、前記トランスポートストリームのエラー訂正の程度が所定の基準値を超えたときであることとしてもよい。かかる構成において、前記トランスポートストリームのエラー訂正の程度が所定の基準値以下となったときに、前記他の放送受信装置との前記通信を停止することとしてもよい。かかる構成において、前記停止中に前記トランスポートストリームのエラー訂正の程度が所定の基準値を超えたときに、前記他の放送受信装置との前記通信を自動的に再開することとしてもよい。
【０００８】
これら構成の地上ディジタル放送受信装置において、前記欠落したパケットの重要度を判断し、重要度の低い欠落パケットについては前記他の放送受信装置への要求対象から外すこととしてもよい。
【０００９】
また、この発明の地上ディジタル放送受信装置は、地上ディジタル放送波を受信してトランスポートストリームを出力するチューナと、前記トランスポートストリームからパケットを分離するデマルチプレクサと、分離されたパケットをデコードするデコーダと、他の放送受信装置との間で通信を実行してデータ送受を行う通信手段と、前記他の放送受信装置からパケット送信要求を受けたときに、この要求されたパケットと同一のパケットを前記トランスポートストリームから取得し、当該同一のパケットを前記通信手段を用いて前記他の放送受信装置に送信する手段と、を備えたことを特徴とする（以下、この項において第２構成という）。
【００１０】
第２構成において、前記通信手段は、前記他の放送受信装置との間で通信路を確立すると、パケット送信機能を有する旨を送信することとしてもよい。これら構成の地上ディジタル放送受信装置において、送信要求を受けたパケットの重要度を判断し、重要度の低い欠落パケットについては前記他の放送受信装置への送信対象から外すこととしてもよい。第２構成又はこれに従属する構成において、前記チューナを複数備え、自身の放送受信に使用している以外のチューナを前記他の放送受信装置へのパケット送信のために用いることとしてもよい。
【発明の効果】
【００１１】
この発明によれば、受信電波の復調においてパケット欠落を生じてもサーバーによらずに当該パケットと同一のパケットを取得することができるという効果を奏する。
【発明を実施するための最良の形態】
【００１２】
以下、この発明の実施形態の地上ディジタル放送受信装置を図１乃至図５に基づいて説明する。説明の便宜上、図１には、欠落パケットを要求する側のＴＶ機能付き携帯電話３０を示し、図２には、パケット要求を受けて該パケットを送信するＴＶ機能付き携帯電話３１を示しているが、一つのＴＶ機能付き携帯電話がパケット要求機能と要求パケット送信機能の両方を備えることとするのがよい。また、図１及び図２において、共通する要素には同一の符号を付記している。
【００１３】
アンテナ１は地上放送局から送られてくるディジタル放送信号を受信する。地上ディジタルチューナ２は、映像音声データを含む高周波ディジタル変調信号のうちから特定周波数の信号を取り出す。また、チューナ２は、ＯＦＤＭ（直交周波数多重方式）復調回路、逆インタリーブ回路、誤り訂正回路などを備えることにより、選択したディジタル変調信号を復調してトランスポートストリーム（ＴＳ）を出力する。なお、前記誤り訂正回路でパケットの訂正が不能であった場合を、以下、受信エラー或いはパケット欠落と表現することとする。
【００１４】
ＴＳバッファ２５は、チューナ２から出力された一定時間分のトランスポートストリームを一時的に保持する。パケット要求を受けて該パケットを送信するＴＶ機能付き携帯電話３１のＴＳバッファ２５には、ＴＳパケットと、ＰＣＲ（program clock reference ）からのオフセット値と、ＰＣＲ値とが格納される。
【００１５】
ＤＥＭＵＸ（デマルチプレクサ）９は、前記チューナ２から出力されたトランスポートストリームを、ＭＰＥＧ２（Ｍｏｖｉｎｇ  Ｐｉｃｔｕｒｅ  Ｅｘｐｅｒｔｓ  Ｇｒｏｕｐ２）或いはＨ．２６４のビデオストリーム、オーディオストリーム、データ放送データ、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。
【００１６】
デコーダ３はビデオストリームに対してデコードを行うビデオデコーダ、オーディオストリームに対してデコードを行うオーディオデコーダ等から成る。ビデオデコーダから出力される映像データは映像処理部４に出力され、オーディオデコーダから出力される音声データは音声処理部５に出力される。また、データ放送データ（ＢＭＬファイル）はデータ放送処理部（ＢＭＬエンジン）６によって処理される。ＰＳＩ／ＳＩはマイクロコンピュータ１３に供給される。欠落パケットを要求する側のＴＶ機能付き携帯電話３０には、ＴＶ機能付き携帯電話３１から送信されたパケットを一時的に保持する受信ＴＳバッファ２６が設けられている。ＴＶ機能付き携帯電話３０は欠落パケットと同一のパケットを前記受信ＴＳバッファ２６から取り出してデコードを行う。
【００１７】
映像処理部４は、デコーダ３から出力された映像データを受け取ってＤ／Ａ変換等を行い、映像信号を生成する。また、映像処理部４はＯＳＤ（オンスクリーンディスプレイ機能）を有し、マイクロコンピュータ１３から出力指示された文字情報や画像情報、或いは、データ放送処理部６から出力される文字情報や画像情報に基づく映像を前記映像データに重畳する。音声処理部５は、デコーダ３から出力された音声データを受け取って右（Ｒ）音データ及び左（Ｌ）音データを生成する。
【００１８】
映像信号を受け取ったドライバ７はディスプレイ（例えば、液晶表示パネル等）１１を駆動する。音声データはＤ／Ａ変換アンプ８を経てアナログ信号に変換されてスピーカ１２或いは図示しないヘッドホン等に入力される。
【００１９】
メモリ（ＲＡＭ、ＥＥＰＲＯＭ、フラッシュメモリ、ＲＯＭ等）１４には、各種プログラムやデータなどが格納される。ＴＶ機能付き携帯電話３０の，３１電源ＯＮ時に、マイクロコンピュータ１３は、ＲＯＭに格納されているプログラムやデータをＲＡＭに展開し、ＲＡＭ上のプログラムを実行する。このプログラムには、ＵＳＢインターフェイス２０、ＬＡＮインターフェイス１８を制御するドライバやプロトコルスタックが含まれる。
【００２０】
操作部１５のキーを操作すると、そのキーに対応した指令を意味する信号がマイクロコンピュータ１３に供給される。ＵＳＢインターフェイス２０にはＵＳＢメモリ２１を装着することができる。ＵＳＢメモリ２１には、例えば受信した映像音声データなどを格納することができる。携帯電話部１６はマイク１６ａ及びスピーカ１６ｂを備えており、携帯電話通信処理を実行する。ＬＡＮインターフェイス１８にＬＡＮカード１９を装着することで、無線ＬＡＮ通信が行える。この実施例においては、欠落パケットの送信要求及び送信されてきたパケットの受信を前記無線ＬＡＮを用いて行うこととしている。
【００２１】
ＴＶ機能付き携帯電話３０において、欠落パケット特定部１０は、チューナ２から出力されるトランスポートストリームに受信エラーを生じたパケットが存在する場合に、当該パケットを特定する特定情報をマイクロコンピュータ１３に与える。マイクロコンピュータ１３は、前記特定情報をＴＶ機能付き携帯電話３１に送信することをＬＡＮカード１９に指令する。その詳細は後述する。
【００２２】
ＴＶ機能付き携帯電話３１において、前記特定情報をＬＡＮカード１９を介して受け取ったマイクロコンピュータ１３は、前記特定情報を要求パケット取出し部１７に与える。要求パケット取出し部１７は、要求されたパケットをＴＳバッファ２５から取り出す。マイクロコンピュータ１３は、前記取り出された要求パケットをＴＶ機能付き携帯電話３０に送信することをＬＡＮカード１９に指令する。その詳細は後述する。
【００２３】
［受信エラーが生じたパケットを要求する際の処理］
（１）ＴＶ機能付き携帯電話３０のマイクロコンピュータ１３は、操作部１５の例えばＴＶボタンがユーザによって押下されると、地上ディジタルチューナ２を起動する。ＴＶ機能付き携帯電話３０のマイクロコンピュータ１３は、地上ディジタルチューナ２が取得しているトランスポートストリームのネットワークＩＤを取得し、ＬＡＮカード１９を介してＴＶ機能付き携帯電話３１にチューナ起動指令及び受信すべき放送を示す前記ネットワークＩＤを送出する。なお、ＴＶ機能付き携帯電話３０のマイクロコンピュータ１３は、地上ディジタルチューナ２のエラー訂正頻度が所定の閾値よりも高くなったときに、ＴＶ機能付き携帯電話３１にチューナ起動を指示することとしてもよい。
【００２４】
（２）地上ディジタルチューナ２には、トランスポートストリーム（ＴＳ）中のＴＳパケット（以下、単にパケットと記す）に受信エラー（パケット欠落）があったことを示すトランスポート・エラー・インディケーターが備えられている。欠落パケット特定部１０は、前記トランスポート・エラー・インディケーターを監視し、受信エラーがない場合、当該パケットをデマルチプレクサ９に渡す。一方、パケットに受信エラーがある場合には、受信エラーを生じたパケットを特定する情報を生成してマイクロコンピュータ１３に渡す。
【００２５】
（３）パケット特定情報は、例えば、受信エラーを生じたパケットがその直前のＰＣＲ（program clock reference ）を含むパケットから何個目のパケットであるかを示す情報である。具体的なパラメータは、ＰＣＲ値とオフセット値（パケット数）からなる。前記ＰＣＲは２３３ms以内に再送することが推奨されている上に、値が常に変わるため、パケットの特定が容易である。この場合、欠落パケット特定部１０は、ＰＣＲ判定部及びカウンタを備えておく。なお、前記パケット特定情報を、パケットのＰＩＤと連続性指標（continuity counter）とすることも可能であり、これら両方を用いることも可能である。また、頻繁に受信エラーが生じる場合には、１パケットごとに取得要求を行うとするとマイクロコンピュータ１３等の負荷が増大するため、一定時間分をまとめて要求することとしてもよい。図４には一定時間分のパケット特定情報を要求するときの記述例を示している。
【００２６】
［要求を受けた側の処理］
（４）ＴＶ機能付き携帯電話３１のマイクロコンピュータ１３は、ＬＡＮカード１９を介して前記パケット特定情報を取得し、このパケット特定情報を要求パケット取出し部１７に与える。要求パケット取出し部１７は、ＴＳバッファ２５内から要求のあったパケットを取り出す。先述したごとく、パケット要求を受けて該パケットを送信するＴＶ機能付き携帯電話３１のＴＳバッファ２５には、ＴＳパケットと、ＰＣＲ（program clock reference ）からのオフセット値と、ＰＣＲ値とが格納される。前記要求パケット取出し部１７は、前記パケット特定情報（ＰＣＲ値とオフセット値）に基づいて、ＴＳバッファ２５内から要求のあったパケットを取り出す。マイクロコンピュータ１３は、取り出されたパケットをＬＡＮカード１９に渡す。ＬＡＮカード１９によって要求パケットがＴＶ機能付き携帯電話３０へと送出される。
【００２７】
［要求パケットを受けとった後の処理］
（５）ＴＶ機能付き携帯電話３０のＬＡＮカード１９がＴＶ機能付き携帯電話３１のＬＡＮカード１９から受け取った前記要求パケットは、受信ＴＳバッファ２６に格納される。ここで、前記要求パケットが取得されるまでには、上述した通信処理によって遅延が生じる。従って、ＴＶ機能付き携帯電話３０においては、デコーダ３が映像音声パケットを取得すること及びマイクロコンピュータ１３がＰＳＩ／ＳＩのパケットを取得することを、デマルチプレクサ９を介して行うのは難しい。そこで、取得できた要求パケットを受信ＴＳバッファ２６内に格納することとする。また、前記受信ＴＳバッファ２６内に格納された複数の要求パケットについて、どのパケットがどの時点で要求したパケットであるのかの判断を、先述したパケット特定情報（ＰＣＲ値とオフセット値）を用いて行うことはできない。欠落パケットを必要とするデコーダ３及びマイクロコンピュータ１３は欠落パケットのＰＩＤと連続性指標（continuity counter）を把握できるので、デコーダ３及びマイクロコンピュータ１３は、これら欠落パケットのＰＩＤと連続性指標に対応するＰＩＤと連続性指標を有するパケットを前記受信ＴＳバッファ２６から取り出せばよい。
【００２８】
図３はＴＶ機能付き携帯電話３０における欠落パケットの取得処理の一例を示したフローチャートである。ＴＶ機能付き携帯電話３０は、自身のチューナ２が出力するトランスポートストリームからパケットを取得する（ステップＳ１）。そして、受信エラーが発生したかどうかを判断する（ステップＳ２）。受信エラーが発生していなければ、取得したパケットを出力用に採用し（ステップＳ３）、採用したパケットをデコーダ３に出力する（ステップＳ４）。受信エラーが発生した場合には、ＴＶ機能付き携帯電話３１に前記欠落を生じたパケットと同一のパケットの送信を要求する（ステップＳ５）。同一のパケットをＴＶ機能付き携帯電話３１から取得できた場合には、前記欠落を生じたパケットに替えて、前記ＴＶ機能付き携帯電話３１から取得した同一パケットを出力用に採用し（ステップＳ７）、デコーダ３に渡す（ステップＳ４）。同一のパケットをＴＶ機能付き携帯電話３１から取得できなかった場合には、前記パケットに替えてＮＵＬＬパケットを出力用に採用し（ステップＳ８）、デコーダ３に渡す（ステップＳ４）。
【００２９】
以上のようにして、ＴＶ機能付き携帯電話３０は、ＴＶ機能付き携帯電話３１から欠落パケットを取得することができるが、以下、ＴＶ機能付き携帯電話３０とＴＶ機能付き携帯電話３１との間の通信について、更に詳述していく。
【００３０】
通信に携帯電話通信網や先述の無線ＬＡＮなどを用いる場合、ＴＣＰ／ＩＰプロトコルにて通信を行うため、通信相手のＩＰアドレスが必要となる。ＩＰアドレスを事前に携帯電話３０，３１に登録しておくことで、ＴＣＰ／ＩＰプロトコルによる通信が可能となる。携帯電話においては、携帯電話事業者が電話番号やメールアドレスからＩＰアドレスを取得する手順を準備している場合は、アドレス帳に登録された電話番号やメールアドレスからＩＰアドレスを取得することができる。なお、プッシュ・ツー・トークでは、ＩＰ電話で相手を呼び出すときに使うＳＩＰ（session initiation protocol ) を利用し、或る端末ａがアドレス帳で端末ｂの電話番号等を選んで発信すると、端末ａはＳＩＰサーバを経由して制御サーバにログインし、端末ｂを呼び出すことができる。従って、このようなＳＩＰを利用して携帯電話３０，３１が通信を行うことも可能である。
【００３１】
赤外線やbluetooth などの近距離通信を行う場合、搭載するプロトコルに従って通信相手を検出することができる。また、通信経路確立後に、通信相手となる受信機がＴＳパケット送信機能を有しているかどうかを確認する必要がある場合には、ＴＳパケット送信機能の有無確認の処理を行う必要がある。
【００３２】
先述の例では、ＴＶ機能付き携帯電話３０は、ＴＶ機能付き携帯電話３１に放送受信起動指令とネットワークＩＤを送出することとしたが、このときに、ＴＶ機能付き携帯電話３１において、ＴＶ視聴を行っていることがありうる。この場合、ＴＶ機能付き携帯電話３１は、現在受信している放送におけるネットワークＩＤが、ＴＶ機能付き携帯電話３０から要求のあったネットワークＩＤに一致するかどうかを判断する。ネットワークＩＤが一致したときには、ＴＶ機能付き携帯電話３１は、ＴＳパケット送信機能の実行が可能であることをＴＶ機能付き携帯電話３０に伝送することになる。例えば、サッカーワールドカップの日本の試合を放送する場合、多くの方が当該放送を視聴すると考えられ、前記ネットワークＩＤが高確率で一致する（同じ放送を視聴している確率が高い）場合もあると考えられる。
【００３３】
ネットワークＩＤが一致しないときには、ＴＶ機能付き携帯電話３１は、ＴＳパケット送信機能の実行ができないことをＴＶ機能付き携帯電話３０に伝送することになる。勿論、ＴＶ機能付き携帯電話３１は、そのＯＳＤ機能を用い、ＴＳパケット送信の要求がきていること及びネットワークＩＤ（具体的な放送局名を表示するのがよい）をディスプレイ１１に表示し、ＴＳパケット送信の要求に応えてもよいかを、ユーザに確認するようにしてもよい。ユーザがＴＳパケット送信の要求に応えてもよいことを示す操作を行ったときで、既にＴＳパケット送信機能の実行ができないことを通知した後であるとき（通信終了後）には、ＴＶ機能付き携帯電話３１は、発信側となって、ＴＶ機能付き携帯電話３０に、ＴＳパケット送信機能の実行が可能であることを通知するようにしてもよい。
【００３４】
bluetooth などの１対多通信が可能なプロトコルであれば、２台以上の受信装置にＴＳパケット送信機能の確認及びパケット送信要求を行うことができる。この場合、送信は一斉に行うが、要求に対する応答は個々に受け付けることになる。
【００３５】
通信速度や処理速度の制約により、全てのパケット送信要求に対してパケットを送信できない場合もある。また、パケット送信要求を行った側でも、受け取ったパケットの全てを処理できない場合もありうる。このような事情に鑑み、優先順位（重要度）を付けてパケットを処理することも考えられる。
【００３６】
例えば、ＭＰＥＧ方式では、Ｉフレームと呼ばれる参照元フレームが欠落すると、その後に再びＩフレームを受信するまでは映像が乱れてしまうので、欠落パケットがＩフレームを構成するパケットである場合には、最優先で処理を行うこととする。また、音声のパケットについても、これが欠落すると音声が乱れるので、比較的優先度が高いパケットとする。Ｉフレーム以外のパケットは、前記音声パケットに次ぐ順位、或いは音声パケットより上の優先度を持つ。また、ＰＳＩ／ＳＩやカルーセル方式で送信されるデータ放送などは一定時間後に再送されてくるので、送信要求に応えなくても影響は小さく、従って優先度は低い。ＮＵＬＬパケットは必要な情報を含まないため、欠落しても取得の必要性はない。
【００３７】
例えば、現時点の通信速度や処理速度の下で一定時間内に１０パケット分のパケット要求（処理）を行うのが上限であるとしているところ、一定時間内に１２パケットの欠落が生じたとする。この１２個のパケットのうち超過の２個のパケットについては要求しないとする場合に、前記優先順位に基づき、優先順位が低い２つのパケットについては要求をしないこととする。
【００３８】
同様に、ＴＶ機能付き携帯電話３１の側において、１２個のパケットの要求があったとしても、前記優先順位に基づき、優先順位が低い２つのパケットについては送信しないこととしてもよい。
【００３９】
ＴＶ機能付き携帯電話３０のマイクロコンピュータ１３は、地上ディジタルチューナ２からエラー訂正頻度を示す情報を受け取っており、この情報によりエラー訂正頻度が少ない（所定の閾値以下）と判断したときには、ＴＶ機能付き携帯電話３１との間での通信を終了してもよい。トランスポートストリームの伝送においては、パケットごとにリード・ソロモン符号が付加されており、１８８バイトの主パケットに１６バイトの前記符号が付加されるため、１パケットは２０４バイトで伝送されることになる。誤りが２０４バイト中の８バイト以内であれば訂正可能である。訂正可能であるパケットはエラーパケット（欠落パケット）ではない。また、ＴＶ機能付き携帯電話３０のマイクロコンピュータ１３は、地上ディジタルチューナ２のエラー訂正頻度が所定の閾値よりも高くなったときには、停止していた前記通信を再開することとしてもよい。
【００４０】
前記通信の停止と再開は、前記エラー訂正頻度の値で決定することに限定されない。例えば、前記エラー訂正頻度の値が前記所定の閾値未満であっても、エラー訂正頻度の上昇率が所定の傾き（基準）を超えたときに、前記通信を再開することとしてもよい。また、前記通信の停止と再開を一つの閾値で行うのではなく、二つの閾値を設定しておくことにより、前記通信の停止と再開にヒステリシスを持たせるようにしてもよい。また、エラー訂正頻度（１パケット内のエラーを生じたバイト数等）ではなく、エラーを生じたパケットの割合（例えば、１０パケット中の何個のパケットでエラーを生じたか等）で上述した処理を行うこととしてもよい。上述した割合、上述したエラー訂正の頻度、及び上昇率（変化）を含めて、エラー訂正の程度ということとする。
【００４１】
ＴＶ機能付き携帯電話３０とＴＶ機能付き携帯電話３１とが同一のトランスポートストリームを取得するには、同一周波数の放送波を受信すればよい。ただし、両者が受信する周波数が異なっていても同一のパケットを取得することは可能である。地上ディジタル放送では、放送エリア拡大のため、主放送局と異なる周波数で同一のトランスポートストリームを中継局が送出している場合がある。地上ディジタル放送の付加情報であるＮＩＴ（network information table ）の地上分配システム記述子内には、トランスポートストリームを送出する送信設備が使用する全ての周波数が記述されているので、マイクロコンピュータ１３は、前記ＮＩＴを用いて例えばＴＶ機能付き携帯電話３０の受信周波数と異なる周波数の放送をＴＶ機能付き携帯電話３１が受信することも可能である。
【００４２】
上述したパケット取得のための通信を互いに行うための複数の相手先を予め登録しておき、第１の相手先が実行不能のときに、第２の相手先を選択し、この第２の相手先も実行不能のときに、第３の相手先を選択するといった処理を行うようにしてもよい。
【００４３】
ＴＶ機能付き携帯電話は、複数の地上ディジタルチューナを備えてもよい。そして、一つのチューナを自身のＴＶ視聴に用い、他のチューナをパケット取得要求に応えるために利用することとしてもよい。このように複数のチューナを備えれば、概ねどのようなときにも、ＴＳパケット送信要求に応えることができるようになる。従って、複数のチューナを備える構成であれば、特定の二つの端末の余りのチューナを互いに利用する形態を実現できる。二人の好みの番組が全く異なっていても全く問題は生じないことになる。
【００４４】
上述した例では、ＴＶ機能付き携帯電話を示したが、この発明にかかる地上ディジタル放送受信装置は、車載型或いは固定設置型の受信装置としても適用可能である。
【図面の簡単な説明】
【００４５】
【図１】この発明の実施形態のＴＶ機能付き携帯電話（パケット要求側）を示したブロック図である。
【図２】この発明の実施形態のＴＶ機能付き携帯電話（パケット送信側）を示したブロック図である。
【図３】この発明の実施形態の処理内容を示したフローチャートである。
【図４】この発明の実施形態のパケット特定情報（パケット要求情報）を示した説明図である。
【図５】この発明の実施形態の前記パケット特定情報に対する受信内容を示した説明図である。
【符号の説明】
【００４６】
１    アンテナ
２    チューナ
３    デコーダ
１０    欠落パケット特定部
１３    マイクロコンピュータ
１７    要求パケット取出し部
２５    ＴＳバッファ
２６    受信ＴＳバッファ
３０，３１    ＴＶ機能付き携帯電話
【図１】
2008022096.tif 000003
【図２】
2008022096.tif 000004
【図３】
2008022096.tif 000005
【図４】
2008022096.tif 000006
【図５】
2008022096.tif 000007